(57)【要約】      （修正有）【課題】光漏れを防いだ発光指針を提供する。【解決手段】光源からの光を受光する受光部１２１を有する回転基部１２と、この受光部１２１からの光によって光輝する長手状の指示部１１とを備えた透光部材１と、回転基部１２の周囲を覆うとともに回転基部１２の背後側が開口する第１の開口部２１１を有する第１のカバー部２１と、指示部１１の前面を視認可能とする透視窓２２２と指示部１１両側面を覆う一対の側壁部２２３と、これら側壁部２２３の間を背面側に開口する第２の開口部２２１とを有し指示部１１を覆う長手状の第２のカバー部２２と、を有するカバー部材２と、を備えた発光指針において、カバー部材２は、第１のカバー部２１と第２のカバー部２２とが連結する箇所に、回転基部１２から指示部１１方向へ進む光のうち、指示部１１の背面側へ漏れる光を遮るための遮光リブを有している。【選択図】図２
2017049176.tif 000002
【特許請求の範囲】
【請求項１】
光源からの光を受光する受光部を有する回転基部と、前記受光部からの光によって光輝する長手状の指示部とを有する透光部材と、
前記回転基部の周囲を覆うとともに前記回転基部の背後側が開口する第１の開口部を有する第１のカバー部と、前記指示部の前面を視認可能とする透視窓と前記指示部両側面を覆う一対の側壁部とこれら側壁部の間を背面側に開口する第２の開口部とを有し前記指示部を覆う長手状の第２のカバー部と、を有するカバー部材と、
を備えた発光指針において、
前記カバー部材は、前記第１のカバー部と前記第２のカバー部とが連結する箇所に、前記回転基部から前記指示部方向へ進む光のうち、前記指示部の背面側へ漏れる光を遮るための遮光部を有していることを特徴とする発光指針。
【請求項２】
前記遮光部は、前記指示部の中心線に向かって突出していることを特徴とする請求項１に記載の発光指針。
【発明の詳細な説明】
【技術分野】
【０００１】
本発明は、例えば車両用計器に用いられ、車両、船舶、農耕機械などの走行状態や運転状況などを指示する発光指針に関するものである。
【背景技術】
【０００２】
従来の発光指針としては、例えば特許文献１に記載のものが知られている。この発光指針は、透光性部材からなる回転基部と指示部とを有する指針本体と、この指示部と回転基部とを連続的に覆う遮光性部材からなるカバー部材と、このカバー部の裏面を覆う遮蔽部材とから構成され、カバー部材は指示部に対応する前面に指示部の上表面を一直線上に露出させるスリットを有し、このスリットから発光する指示部を視認させる構成である。
【０００３】
遮蔽部材は、フック係合等の方法でカバー部の裏面側に収納固定され、カバー部の裏面を覆うことによって光漏れを抑制している。
【先行技術文献】
【特許文献】
【０００４】
【特許文献１】特開２０１０−２５５６７号公報
【発明の開示】
【発明が解決しようとする課題】
【０００５】
しかしながら、特許文献１記載の発光指針にあっては、指針本体の回転基部を覆う遮蔽部材箇所はカバー部材の狭持部にフック係合されるが、遮蔽部材で指示部の裏面側を覆わない指針の場合、カバー部材と回転基部との隙間から光が漏れる心配があり、特に回転基部と指示部とのつなぎ目周辺から漏れた光が指示部の背面を伝わって先端が光輝してしまうという問題点があった。
【０００６】
本発明はこの様な点に鑑みなされたもので、光漏れを防いだ発光指針を提供することを目的とする。
【課題を解決するための手段】
【０００７】
本発明は前記目的を達成するため、前記回転基部の周囲を覆うとともに前記回転基部の背後側が開口する第１の開口部を有する第１のカバー部と、前記指示部の前面を視認可能とする透視窓と前記指示部両側面を覆う一対の側壁部とこれら側壁部の間を背面側に開口する第２の開口部とを有し前記指示部を覆う長手状の第２のカバー部と、を有するカバー部材と、
を備えた発光指針において、前記カバー部材は、前記第１のカバー部と前記第２のカバー部とが連結する箇所に、前記回転基部から前記指示部方向へ進む光のうち、前記指示部の背面側へ漏れる光を遮るための遮光部を有しているものである。
【０００８】
また、前記遮光部は、前記指示部の中心線に向かって突出しているものである。
【発明の効果】
【０００９】
本発明によれば、光漏れを防いだ発光指針を提供することができる。
【図面の簡単な説明】
【００１０】
【図１】本発明の一実施形態における発光指針の断面図。
【図２】同上の発光指針の斜視図。
【図３】同上の発光指針を裏面側から見た斜視図。
【図４】同上の発光指針のＡ−Ａ断面図。
【図５】同上の発光指針のＢ−Ｂ断面図。
【発明を実施するための最良の形態】
【００１１】
以下、添付図面に基づいて、例えば車両用計器装置に適用した本発明の実施形態を説明する。図１から図５において、発光指針Ｐは、例えばステッピングモータからなる計器本体４の指針軸５に連結されて表示板７の指標部（図示せず）を指示するもので、透光部材１と、カバー部材２と、から主に構成されている。
【００１２】
透光部材１は、図２に示すように、光透過性の樹脂材料からなり、その裏面に白色のホットスタンプがプリントされた長手状の指示部１１と、指示部１１と連続して形成され、透光部材１の回動中心付近においてカバー部材２に装着される回転基部１２とから構成される。
【００１３】
また、透光部材１は、図１、２に示すように、計器本体４の指針軸５に装着されるボス部１３と、指針軸５とは直交する方向に延びる平面からなる台座部１４と、金属からなる重りＡを配置するための重り配置部（図示せず）とを有している。
【００１４】
指示部１１は、その断面が逆台形であり、上辺１１ａが下辺１１ｂよりも長くなるように形成されている。
【００１５】
回転基部１２は、カバー部材２の後述する第１の開口部２１１を透過した光源６からの光を回転基部１２内に導くための受光部１２１と、受光部１２１から入射した光を指示部１１方向に反射させる反射部１２２とを備えている。
【００１６】
カバー部材２は、不透光性である黒色の樹脂材料からなり、第１のカバー部２１と第２のカバー部２２とから構成される。
【００１７】
第１のカバー部２１は、背後に開口する第１の開口部２１１を有し、回転基部１２の周囲（前面及び側面）を覆うものである。
【００１８】
第２のカバー部２２は、指示部１１を覆うように長手状に形成され、指示部１１の前面（視認者側）を視認可能とする透視窓２２２と、透光部材１の回転方向両側面を覆う一対の側壁部２２３と、これら側壁部２２３の間を背面側（表示板７側）に開口する第２の開口部２２１とを有している。
【００１９】
第２のカバー部２２は、指示部１１に沿って長手状に延びており、その長手方向の先端部には指示部１１の先端から光が漏れないように先端収納部２２４が形成されている。また、第２のカバー部２２の各側壁部２２３の端部であって、第１のカバー部２１と第２のカバー部２２とが連結する箇所に、回転基部１２から指示部１１方向へ進む光のうち、指示部１１の背面側へ漏れる光を遮るための遮光リブ２２５を有している。
【００２０】
第２のカバー部２２の側壁部２２３の内壁は、互いに平行に対向しており、指示部１１の中心線Ｃまでの収納幅ｂを有している。遮光リブ２２５は、収納幅ｂ内に収納された指示部１１と側壁部２２３との隙間及び回転基部１２と指示部１１とのつなぎ目周辺を覆うように形成された遮光幅ａを有している。遮光リブ２２５は、側壁部２２３の内壁から中心線Ｃに向かって突きだした形状となっている。
【００２１】
次に、本実施形態における指針の組付けを説明する。まず、重りＡを組付け状態において板状の金属面が第１のカバー部２１の側壁面に沿うように配置する。指示部１１の先端を第２のカバー部２２の先端にある先端収納部２２４に配置し、第１のカバー部２１内に回転基部１２を倒すように装着する。回転基部１２の第１のカバー部２１への固定は、回転基部１２を第１のカバー部２１側壁内面に設けられたフック（図示せず）に係合することにより行われ、発光指針Ｐの組付けが完了する。
【００２２】
次に、本実施形態における光の進行経路を説明する。光源６から出射し、受光部１２１から回転基部１２内に入射した光は、反射部１２２によって指示部１１方向に反射され、その反射された光が側壁部２２３によって更に反射され、乱反射を繰り返し、指示部１１を導光し、その一部の光が透視窓２２２から視認者側へ届くよう指針を照明する。この際、受光部１２１から回転基部１２内に入射しない光で、指示部１１方向へ進む光は、遮光リブ２２５によって遮られ、指示部１１の先端へ到達する光は減衰される。
【００２３】
この様に、光源６からの光を受光する受光部１２１を有する回転基部１２と、この受光部１２１からの光によって光輝する長手状の指示部１１とを有する透光部材１と、回転基部１２の周囲を覆うとともに回転基部１２の背後側が開口する第１の開口部２１１を有する第１のカバー部２１と、指示部１１の前面を視認可能とする透視窓２２２と指示部１１両側面を覆う一対の側壁部２２３と、これら側壁部２２３の間を背面側に開口する第２の開口部２２１とを有し指示部１１を覆う長手状の第２のカバー部２２と、を有するカバー部材２と、を有する発光指針Ｐにおいて、カバー部材２は、第１のカバー部２１と第２のカバー部２２とが連結する箇所に、回転基部１２から指示部１１方向へ進む光のうち、指示部１１の背面側へ漏れる光を遮るための遮光リブ２２５を有していることにより、指示部１１の背面側に遮光部材が無くても、光源６の光が指示部１１の背後に光漏れすることを防ぐことができる。
【００２４】
また、遮光リブ２２５は、指示部１１の中心線Ｃに向かって突出しているので、最も光漏れが生じる第１のカバー部２１と第２のカバー部２２との連結箇所からの光漏れを防止することができる。
【符号の説明】
【００２５】
１      透光部材
２      カバー部材
４      計器本体
５      指針軸
６      光源
７      表示板
１１    指示部
１２    回転基部
２１    第１のカバー部
２２    第２のカバー部
１２１  受光部
１２２  反射部
２１１  第１の開口部
２２１  第２の開口部
２２２  透視窓
２２３  側壁部
２２４  先端収納部
２２５  遮光リブ（遮光部）
【図１】
2017049176.tif 000003
【図２】
2017049176.tif 000004
【図３】
2017049176.tif 000005
【図４】
2017049176.tif 000006
【図５】
2017049176.tif 000007